(57)【要約】【課題】簡易な構成で、蛍光体からの不要な蛍光の発生を抑制することができる顕微鏡照明ユニットおよび顕微鏡装置を提供すること。【解決手段】本発明にかかる顕微鏡照明ユニットは、照明光を出射する発光素子と蛍光体が付与された蛍光部材とを有する光源部を備えた顕微鏡照明ユニットであって、遮光性を有する遮光部を有し、発光素子が出射する照明光の光路上に対して遮光部を挿脱自在に配置可能な光路挿脱部材と、細長形状をなし、発光素子の駆動によって生じる熱により所定の方向に屈曲する特性を有し、該屈曲により光路挿脱部材を動作させる原動節と、を備えた。【選択図】図１
2016085374.tif 000002
【特許請求の範囲】
【請求項１】
照明光を出射する発光素子と蛍光体を含む蛍光部材とを有する光源部を備えた顕微鏡照明ユニットであって、
遮光性を有する遮光部を有し、前記発光素子が出射する前記照明光の光路上に対して前記遮光部を挿脱自在に配置可能な光路挿脱部材と、
細長形状をなし、前記発光素子の駆動によって生じる熱により長手方向が屈曲する特性を有し、該屈曲により前記光路挿脱部材を動作させる原動節と、
を備えたことを特徴とする顕微鏡照明ユニット。
【請求項２】
前記原動節は、バイメタル素材を用いて形成されることを特徴とする請求項１に記載の顕微鏡照明ユニット。
【請求項３】
前記原動節は、一方の端部が、前記発光素子を駆動する部材のうちの通電により発熱する部材の配設領域近傍に設けられることを特徴とする請求項１または２に記載の顕微鏡照明ユニット。
【請求項４】
前記原動節の屈曲動作に応じて、前記遮光部の位置を、前記照明光の光路に挿入した位置と、前記照明光の光路から離脱した位置とのいずれか一方の位置に切り替える切替機構をさらに備えたことを特徴とする請求項１〜３のいずれか一つに記載の顕微鏡照明ユニット。
【請求項５】
照明光を出射する発光素子を有する光源部を備えた顕微鏡照明ユニットであって、
蛍光体を含み、光の照射により蛍光を発する蛍光部を有し、前記発光素子が出射する前記照明光の光路上に対して前記蛍光部を挿脱自在に配置可能な光路挿脱部材と、
細長形状をなし、前記発光素子の駆動によって生じる熱により長手方向が屈曲する特性を有し、該屈曲により前記光路挿脱部材を動作させる原動節と、
を備えたことを特徴とする顕微鏡照明ユニット。
【請求項６】
少なくとも標本からの観察光を集光する光学系を有する対物レンズと、
照明光を出射する発光素子と蛍光体を含む蛍光部材とを有する光源部と、
遮光性を有する遮光部を有し、前記発光素子が出射する前記照明光の光路上に対して前記遮光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えた顕微鏡照明ユニットと、
を備えたことを特徴とする顕微鏡装置。
【請求項７】
少なくとも標本からの観察光を集光する光学系を有する対物レンズと、
照明光を出射する発光素子を有する光源部と、
蛍光体を含み、光の照射により蛍光を発する蛍光部を有し、前記発光素子が出射する前記照明光の光路上に対して前記蛍光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えた顕微鏡照明ユニットと、
を備えたことを特徴とする顕微鏡装置。
【発明の詳細な説明】
【技術分野】
【０００１】
本発明は、顕微鏡照明ユニット、および該顕微鏡照明ユニットを備えた顕微鏡装置に関するものである。
【背景技術】
【０００２】
従来、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。
【０００３】
近年、顕微鏡では、照明光源に長寿命、低消費電力のＬＥＤ（Light  Emitting  Diode）光源が用いられるようになってきている。ここで、ＬＥＤ光源を照明光源として用いる場合、照明方式として、以下の二つの方式が挙げられる。
（１）光の三原色である赤色、緑色および青色の光をそれぞれ発するＬＥＤのチップを用いて、各色の光を混合することによって白色の照明光を発する照明方式。
（２）単一色のＬＥＤと蛍光体とを組み合わせて、蛍光による光と、蛍光体を透過した光とを混合して照明光を発する照明方式。
上述した二つの照明方式のうち、演色性や制御の容易性、構成の大きさなどから、蛍光体を組み合わせる（２）の照明方式が広く普及している。
【０００４】
ところで、顕微鏡では、標本を透過させる透過照明光や、標本に光を照射して反射や散乱した光を観察するための落射照明光などの複数の照明光を用いる場合がある。この場合、ＬＥＤ光源の光路に進入した照明光により、ＬＥＤ光源を使用しない場合であっても、該進入した照明光により蛍光体が励起されて蛍光を発することがあった。このため、不要に発生した蛍光が標本に照射され、観察に影響を及ぼすおそれがあった。
【０００５】
上述した不要な蛍光の発生を防止する技術として、電動シャッタをＬＥＤの光路上に配置して、他の照明光の出射動作に連動してＬＥＤ光源の光路を遮断する技術が開示されている（例えば、特許文献１を参照）。特許文献１が開示する技術によれば、電動シャッタを制御することにより、他の照明光により蛍光体が励起されて蛍光を発することを防止することができる。
【先行技術文献】
【特許文献】
【０００６】
【特許文献１】特開２０１３−２９８３７号公報
【発明の概要】
【発明が解決しようとする課題】
【０００７】
しかしながら、特許文献１が開示する技術では、電動アクチュエータなど、電動シャッタを駆動する構成や、電気的な制御が必要となるため、装置構成が複雑になっていた。
【０００８】
本発明は、上記に鑑みてなされたものであり、簡易な構成で、蛍光体からの不要な蛍光の発生を抑制することができる顕微鏡照明ユニットおよび顕微鏡装置を提供することを目的とする。
【課題を解決するための手段】
【０００９】
上述した課題を解決し、目的を達成するために、本発明にかかる顕微鏡照明ユニットは、照明光を出射する発光素子と蛍光体を含む蛍光部材とを有する光源部を備えた顕微鏡照明ユニットであって、遮光性を有する遮光部を有し、前記発光素子が出射する前記照明光の光路上に対して前記遮光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えたことを特徴とする。
【００１０】
また、本発明にかかる顕微鏡照明ユニットは、上記の発明において、前記原動節は、バイメタル素材を用いて形成されることを特徴とする。
【００１１】
また、本発明にかかる顕微鏡照明ユニットは、上記の発明において、前記原動節は、一方の端部が、前記発光素子を駆動する部材のうちの通電により発熱する部材の配設領域近傍に設けられることを特徴とする。
【００１２】
また、本発明にかかる顕微鏡照明ユニットは、上記の発明において、前記原動節の屈曲動作に応じて、前記遮光部の位置を、前記照明光の光路に挿入した位置と、前記照明光の光路から離脱した位置とのいずれか一方の位置に切り替える切替機構をさらに備えたことを特徴とする。
【００１３】
また、本発明にかかる顕微鏡照明ユニットは、照明光を出射する発光素子を有する光源部を備えた顕微鏡照明ユニットであって、蛍光体を含み、光の照射により蛍光を発する蛍光部を有し、前記発光素子が出射する前記照明光の光路上に対して前記蛍光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えたことを特徴とする。
【００１４】
また、本発明にかかる顕微鏡装置は、少なくとも標本からの観察光を集光する光学系を有する対物レンズと、照明光を出射する発光素子と蛍光体を含む蛍光部材とを有する光源部と、遮光性を有する遮光部を有し、前記発光素子が出射する前記照明光の光路上に対して前記遮光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えた顕微鏡照明ユニットと、を備えたことを特徴とする。
【００１５】
また、本発明にかかる顕微鏡装置は、少なくとも標本からの観察光を集光する光学系を有する対物レンズと、照明光を出射する発光素子を有する光源部と、蛍光体を含み、光の照射により蛍光を発する蛍光部を有し、前記発光素子が出射する前記照明光の光路上に対して前記蛍光部を挿脱自在に配置可能な光路挿脱部材と、細長形状をなし、前記発光素子の駆動によって生じる熱により長手方向が屈曲する特性を有し、該屈曲により前記光路挿脱部材を動作させる原動節と、を備えた顕微鏡照明ユニットと、を備えたことを特徴とする。
【発明の効果】
【００１６】
本発明によれば、簡易な構成で蛍光体からの不要な蛍光の発生を抑制することができるという効果を奏する。
【図面の簡単な説明】
【００１７】
【図１】図１は、本発明の実施の形態１にかかる顕微鏡システムの全体構成を示す模式図である。
【図２】図２は、本発明の実施の形態１にかかる顕微鏡システムの要部の構成を示す模式図であって、透過照明ユニットの構成を模式的に示す図である。
【図３】図３は、本発明の実施の形態１にかかる顕微鏡システムの要部の構成を示す模式図であって、照明用基板の回路構成を示す図である。
【図４】図４は、本発明の実施の形態１にかかる顕微鏡システムの要部の構成を示す模式図であって、透過照明ユニットの動作を説明する図である。
【図５】図５は、本発明の実施の形態１にかかる顕微鏡システムの要部の構成を説明する図であって、原動節の動作を説明するグラフである。
【図６】図６は、本発明の実施の形態１の変形例にかかる顕微鏡システムの要部の構成を示す模式図であって、透過照明ユニットの構成を模式的に示す図である。
【図７】図７は、本発明の実施の形態１の変形例にかかる顕微鏡システムの要部の構成を示す模式図であって、透過照明ユニットの動作を説明する図である。
【図８】図８は、本発明の実施の形態２にかかる顕微鏡システムの要部の構成を示す模式図であって、透過照明ユニットの構成を模式的に示す図である。
【図９】図９は、本発明の実施の形態２にかかる顕微鏡システムの要部の構成を示す模式図であって、透過照明ユニットの動作を説明する図である。
【図１０】図１０は、本発明の実施の形態３にかかる顕微鏡システムの要部の構成を示す模式図であって、透過照明ユニットの切替機構の構成を模式的に示す図である。
【図１１】図１１は、本発明の実施の形態３の変形例にかかる顕微鏡システムの要部の構成を示す模式図であって、透過照明ユニットの切替機構の構成を模式的に示す図である。
【図１２】図１２は、本発明の実施の形態４にかかる顕微鏡システムの要部の構成を示す模式図であって、透過照明ユニットの切替機構の構成を模式的に示す図である。
【図１３】図１３は、本発明の実施の形態４にかかる顕微鏡システムの要部の構成を示す模式図であって、透過照明ユニットの切替機構の構成を模式的に示す図である。
【図１４】図１４は、本発明の実施の形態４の変形例１にかかる顕微鏡システムの要部の構成を示す模式図であって、透過照明ユニットの切替機構の構成を模式的に示す図である。
【図１５】図１５は、本発明の実施の形態４の変形例１にかかる顕微鏡システムの要部の構成を示す模式図であって、透過照明ユニットの切替機構の構成を模式的に示す図である。
【図１６】図１６は、本発明の実施の形態４の変形例２にかかる顕微鏡システムの要部の構成を示す模式図であって、透過照明ユニットの切替機構の構成を模式的に示す図である。
【図１７】図１７は、本発明の実施の形態４の変形例２にかかる顕微鏡システムの要部の構成を示す模式図であって、透過照明ユニットの切替機構の構成を模式的に示す図である。
【発明を実施するための形態】
【００１８】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１９】
（実施の形態１）
まず、本発明の実施の形態１にかかる顕微鏡システムについて、図面を参照して説明する。図１は、本実施の形態１にかかる顕微鏡システムの全体構成を示す模式図である。図１に示すように、顕微鏡システム１は、ベース部２と、柱部３と、アーム部４とを備えた顕微鏡（本体）にステージや対物レンズ、照明ユニットなどが取り付けられることにより構成される。ベース部２は、机上等の顕微鏡システム１が設置される場所に直接載置される部分である。柱部３は、ベース部２の奥側に立設されている。アーム部４は、柱部３の上端から顕微鏡１正面側に向かって延在されている部分である。
【００２０】
ベース部２には、顕微鏡システム１全体の制御を行う制御基板が設けられていてもよい。制御基板は、外部からの電源を各部へ中継したり、自身に電源が内蔵され、各部へ中継したりする場合もある。
【００２１】
柱部３の前面には、観察対象である標本Ｓが載置されるステージ５を備えており、例えばステージハンドル３ａで、前後左右方向に移動させることができる。また、ステージ５は、図示しない可動ガイドにより柱部３に対して上下動可能に設置されていてもよい。なお、可動ガイドは、ベース部２に設置されたフォーカスハンドルを回転させることにより、上下に移動する。またその上下移動は、ギヤ、ラックピニオン等の公知の手段によって実現できる。
【００２２】
アーム部４には、観察部６とレボルバ７とが備えられている。観察部６は、アーム部４の延在方向先端側の上部に設置され、接眼レンズ８と、観察光を撮像する撮像部９とを備えている。観察部６は、図示しない結像レンズや、プリズムを備え、接眼レンズ８および撮像部９に観察光を分岐し、それぞれにおいて観察像が結像される。レボルバ７は、アーム部４の延在方向先端側の下部に設置されている。レボルバ７は、例えば、倍率の異なる複数の対物レンズ１０が装着可能となっており、レボルバ７を回転させることにより、所望の倍率の対物レンズ１０を光路Ｎ１に挿入して観察することができる。接眼レンズ８は、形成された中間像を拡大して見るためのレンズである。
【００２３】
また、顕微鏡システム１は、落射照明ユニット１１と透過照明ユニット１２とを備え、観察に使用する照明光学系を切り替えることができる。照明光学系を切り替えることにより、標本Ｓに対する透過観察と落射蛍光観察が観察部６において可能となっている。
【００２４】
落射照明ユニット１１は、落射観察用の照明光学系の一部をなし、落射照明用光源１１ａと、コレクタレンズ１１ｂと、を内蔵した筐体であって、アーム部４に着脱自在に設けられる。また、アーム部４は、落射照明ユニット１１から出射される落射照明光の光路Ｎ２上であって、光路Ｎ１と交差する位置に配置される蛍光ミラーユニット１３を備えている。蛍光ミラーユニット１３は、励起フィルタ１３ａ、ダイクロイックミラー１３ｂおよび吸収フィルタ１３ｃを有する。励起フィルタ１３ａは、落射照明用光源１１ａから出射された出射光から励起波長に対応した光を抽出（透過）する。ダイクロイックミラー１３ｂは、落射照明用光源１１ａから出射された光のうち、所定波長の光を反射するとともに、標本Ｓが発した光のうち、所定波長の光を透過する。吸収フィルタ１３ｃは、標本Ｓが発した光から所望の波長の光を抽出する。なお、蛍光ミラーユニット１３は、ミラーカセットに複数個が挿脱可能に保持され、内蔵されたモータ（図示せず）により、落射照明用光源１１ａが発した光の光路（光路Ｎ１および光路Ｎ２が交差する位置）に対して進入、あるいは離脱する態様で挿脱可能に構成してもよい。
【００２５】
透過照明ユニット１２は、透過観察用の照明光学系の一部をなし、透過照明用光源部１２ａ（光源部）と、コレクタレンズ１２ｂと、蛍光遮断手段１２ｃと、基板１２ｄ（図２参照）とを内蔵した筐体であって、ベース部２に着脱自在に設けられる。また、ベース部２には、透過照明ユニット１２から出射された照明光を標本Ｓに向けて折り返すミラー１４が設けられ、ステージ５には、標本Ｓとミラー１４との間に取り付けられるコンデンサ１５が設けられている。
【００２６】
顕微鏡システム１では、落射照明観察を行う場合、落射照明ユニット１１から照明光を出射させて該照明光を標本Ｓに照射する。具体的には、落射照明用光源１１ａから出射した照明光は、コレクタレンズ１１ｂを透過し、励起フィルタ１３ａにより標本Ｓに染色された蛍光色素に必要な励起波長のみが透過される。透過された照明光は、ダイクロイックミラー１３ｂにより対物レンズ１０に向けて反射され、対物レンズ１０を透過し、標本Ｓに照射される。照明光を照射された標本Ｓからは、標本Ｓに染色された蛍光色素が励起され、蛍光が発せられる。この蛍光は、対物レンズ１０、ダイクロイックミラー１３ｂを透過し、吸収フィルタ１３ｃにより観察に必要な蛍光波長のみが透過され、接眼レンズ８による目視観察や撮像部９による画像観察ができるようになっている。
【００２７】
また、透過照明観察を行う場合、透過照明用光源部１２ａからの透過照明光を、コレクタレンズ１２ｂ、ミラー１４、コンデンサ１５を介して標本Ｓに照射すると、標本Ｓを透過した観察光、または標本Ｓから発せられた観察光は、対物レンズ１０、ダイクロイックミラー１３ｂおよび吸収フィルタ１３ｃを透過し、接眼レンズ８による目視観察や撮像部９による画像観察ができるようになっている。なお、上述したように、観察光に含まれる波長のうち、吸収フィルタ１３ｃにより観察に必要な蛍光波長のみが透過されるものであってもよいし、透過観察時は、蛍光ミラーユニット１３を光路Ｎ１から退避させて、観察光の波長選択を行わないものであってもよい。
【００２８】
続いて、透過照明ユニット１２について図面を参照して説明する。図２は、本実施の形態１にかかる顕微鏡システムの要部の構成を示す模式図であって、透過照明ユニットの構成を模式的に示す図である。図３は、本実施の形態１にかかる顕微鏡システムの要部の構成を示す模式図であって、照明用基板の回路構成を示す図である。図４は、本実施の形態１にかかる顕微鏡システムの要部の構成を示す模式図であって、透過照明ユニットの動作を説明する図である。
【００２９】
透過照明用光源部１２ａは、例えばＬＥＤ光源を用いて実現され、制御基板により駆動する駆動タイミングが制御される。具体的には、透過照明用光源部１２ａは、ＬＥＤ素子１２０ａ（発光素子）と、蛍光部材１２０ｂと、を有する。ＬＥＤ素子１２０ａは、単色のＬＥＤ素子を用いて構成される。蛍光部材１２０ｂは、ＬＥＤ素子１２０ａを覆うドーム状をなし、照明光の照射により励起されて蛍光を発する蛍光体を含んでいる。透過照明用光源部１２ａでは、ＬＥＤ素子１２０ａが発した光により蛍光体が励起されて蛍光を発する。なお、蛍光部材１２０ｂは、コレクタレンズ１２ｂとＬＥＤ光源との間に設けられるものであればよい。
【００３０】
蛍光遮断手段１２ｃは、透過照明用光源部１２ａの光路に対して挿脱自在に設けられ、透過照明用光源部１２ａとコレクタレンズ１２ｂとの間を遮光可能な光路挿脱部材１２１と、加熱により所定の方向に屈曲する原動節１２２と、光路挿脱部材１２１と原動節１２２と連結し、該遮光部材１２１を回転自在に保持する回転軸１２３と、を有する。
【００３１】
光路挿脱部材１２１は、一端で原動節１２２と接続する棒状の軸部１２１ａと、遮光性の材料を用いて形成される平板状をなし、軸部１２１ａの他端から該軸部１２１ａの長手方向と直交する方向に延びる遮光板１２１ｂ（遮光部）と、を有し、側面視でＬ字状をなす。軸部１２１ａは、回転軸１２３に対して回動可能であればよく、平板状をなして延びるものであってもよい。遮光板１２１ｂは、光が透過しないものであればよく、例えば、透過性の材料からなる平板の表面を遮光性の樹脂や金属で覆ったものでもよい。また、遮光板１２１ｂは、少なくとも透過照明用光源部１２ａとコレクタレンズ１２ｂとの間を遮光できればよく、回転軸１２３から棒状をなして延びた後、透過照明用光源部１２ａとコレクタレンズ１２ｂとの間を遮光可能な平板状をなすものであってもよい。
【００３２】
軸部１２１ａは、一端が回転軸１２３を軸として回転可能に保持されている。軸部１２１ａの中心軸（長手方向）は、回転軸１２３の中心軸と直交していることが好ましい。軸部１２１ａの回転により、遮光板１２１ｂは、透過照明用光源部１２ａとコレクタレンズ１２ｂとの間（透過照明用光源部１２ａの光路）に対して、挿入または退避する。
【００３３】
原動節１２２は、細長形状をなし、一端が回転軸１２３を軸として回転可能に保持されている。原動節１２２は、熱膨張率の異なる金属を貼り合せてなるバイメタル素材を用いて形成される。このため、原動節１２２は、加熱により、熱膨張率の小さい金属側に屈曲するように変形する。本実施の形態１では、原動節１２２は、非加熱時、すなわち熱により変形していない状態では直線状をなし、加熱時、すなわち熱より変形した状態では長手方向が弧状に屈曲した形状をなす。なお、原動節１２２は、線状をなすものであってもよし、平板状をなして延びるものであってもよい。
【００３４】
透過照明用光源部１２ａは、ＬＥＤ駆動回路が形成された基板１２ｄに保持され、電気的に接続されている。基板１２ｄには、原動節１２２の他端が近接配置されるコンデンサ１２４が設けられている。具体的には、本実施の形態１では、原動節１２２の他端が、コンデンサ１２４に設けられた固定部材１２４ａに固定されている。このため、ＬＥＤ駆動回路に通電した際にコンデンサ１２４に熱が発生すると、該発生した熱が原動節１２２に伝達する。なお、原動節１２２の他端は、コンデンサ１２４の配設領域であって、コンデンサ１２４からの熱が伝達される領域に固定されるものであればよい。
【００３５】
基板１２ｄには、図３に示すような、例えば、ＬＥＤ素子１２０ａ、コンデンサ１２４、電源１２５ａ、可変抵抗１２５ｂ、オペアンプ１２５ｃ、抵抗１２５ｄおよびスイッチ１２５ｅを有する回路１２５が設けられる。ＬＥＤ素子１２０ａ、コンデンサ１２４、電源１２５ａ、抵抗１２５ｄおよびスイッチ１２５ｅは直列に接続され、可変抵抗１２５ｂは、コンデンサ１２４と並行に接続される。ＬＥＤ素子１２０ａは、スイッチ１２５ｅのオンオフ動作に伴い発光動作を行うとともに、可変抵抗１２５ｂの抵抗値の変化によりＬＥＤ素子１２０ａを流れる電流値が変化することで明るさが調整される。
【００３６】
透過照明ユニット１２では、スイッチ１２５ｅがオフ状態の場合、ＬＥＤ駆動回路は通電しないため、コンデンサ１２４から熱は発生しない。このため、原動節１２２は直線状をなし、軸部１２１ａと原動節１２２とが一直線上に延びている。この状態では、遮光板１２１ｂは、透過照明用光源部１２ａとコレクタレンズ１２ｂとの間（透過照明用光源部１２ａの光路）に挿入されている（図２参照）。
【００３７】
一方、スイッチ１２５ｅがオン状態の場合、ＬＥＤ駆動回路に電流が流れるため、コンデンサ１２４から熱が発生する。このため、原動節１２２にはコンデンサ１２４の熱が伝達され、該熱により原動節１２２は変形して弧状をなし、回転軸１２３の位置を変化させる。回転軸１２３は、原動節１２２の変形に伴って中心軸まわりに回転しながら移動する。この際、軸部１２１ａも回転軸１２３を軸として回転しながら移動する。本実施の形態１では、原動節１２２の変形により回転軸１２３が透過照明用光源部１２ａ側に移動する。この動作により、回転軸１２３が時計回りに回転し、遮光板１２１ｂが、透過照明用光源部１２ａとコレクタレンズ１２ｂとの間（透過照明用光源部１２ａの光路）から退避するように移動する（図４参照）。
【００３８】
図５は、本実施の形態１にかかる顕微鏡システムの要部の構成を説明する図であって、原動節の動作を説明するグラフである。図５に示すグラフは、時間と、原動節１２２の温度との関係を示している。例えば、時間ｔ０においてスイッチ１２５ｅがオンとなり、ＬＥＤ駆動回路への通電によりコンデンサ１２４から熱が発生すると、原動節１２２には、コンデンサ１２４からの熱により、温度が上昇する。その後、時間ｔ１において原動節１２２の温度が、最大動作温度を超えると、原動節１２２の変形が最大となる。このとき、軸部１２１ａの回転も最大の回転量となり、少なくともこの状態において、遮光板１２１ｂが、透過照明用光源部１２ａの光路から退避する。
【００３９】
その後、時間ｔ２においてスイッチ１２５ｅがオフとなると、ＬＥＤ駆動回路は通電していない状態となるため、コンデンサ１２４から熱が生じなくなる。これにより、原動節１２２は、温度が低下するため、自身の温度低下にしたがって弧状から直線状に形状が変化する。その後、時間ｔ３において原動節１２２の温度が低下すると、原動節１２２は、直線状に戻り、回転軸１２３が反時計回りに回転しながら移動することで遮光板１２１ｂが透過照明用光源部１２ａの光路に挿入される。
【００４０】
ここで、ＬＥＤ素子１２０ａを点灯する際、より早く遮光板１２１ｂを光路上から退避させるため、スイッチ１２５ｅをオンとした後、観察を行うための電流値よりも大きい電流値でＬＥＤ駆動回路を通電することで、単位時間当たりのコンデンサ１２４の発熱量を大きくし、原動節１２２に伝達される熱量を大きくしてもよい。これにより、時間ｔ０から時間ｔ１までの間を短くし、通常のＬＥＤ素子１２０ａを点灯させるための制御と比して、早く遮光板１２１ｂを光路上から退避させることができる。なお、原動節１２２の最大動作温度に達した後は、電流値を通常の観察に適した値に戻す。
【００４１】
上述したように、透過照明用光源部１２ａの光路に対して遮光板１２１ｂを挿脱自在に設け、ＬＥＤ駆動回路に通電したときのみ透過照明用光源部１２ａの光路から遮光板１２１ｂを退避させるようにしたので、透過照明用光源部１２ａには、該透過照明用光源部１２ａを点灯させない場合は、光路Ｎ１を介して外部の光が入射しない。このため、落射照明用光源１１から出射された落射照明光により蛍光部材１２０ｂの蛍光体が励起されることがない。これにより、落射照明観察時において、透過照明用光源部１２ａから蛍光が発せられることはなく、不要に発生した蛍光が標本に照射されることを防止することができる。
【００４２】
上述した本実施の形態１によれば、ＬＥＤ素子１２０ａの駆動により生じる熱により変形する原動節１２２の動作に応じて、遮光板１２１ｂが、透過照明用光源部１２ａの光路から退避するか、または挿入されるようにしたので、簡易な構成で蛍光体からの不要な蛍光の発生を抑制することができる。
【００４３】
また、本実施の形態１によれば、モーター等の電動アクチュエータを追加することなく、さらにＬＥＤ光源の点灯および消灯にかかる操作性に制限をかけることなく、ＬＥＤ素子１２０ａの点灯および消灯に応じて遮光板１２２を透過照明用光源部１２ａの光路に挿脱することができる。これにより、安価な構成でＬＥＤ素子１２０ａの蛍光体から不要な蛍光の発生を防ぐことができる。
【００４４】
なお、本実施の形態１において、遮光板１２１ｂは、透過照明用光源部１２ａに近い方が、遮光範囲を狭める点で好ましい。
【００４５】
（実施の形態１の変形例）
図６は、本発明の実施の形態１の変形例にかかる顕微鏡システムの要部の構成を示す模式図であって、透過照明ユニットの構成を模式的に示す図である。図７は、本実施の形態１の変形例にかかる顕微鏡システムの要部の構成を示す模式図であって、透過照明ユニットの動作を説明する図である。上述した実施の形態１では、透過照明用光源部１２ａがＬＥＤ素子１２０ａと蛍光部材１２０ｂとを有するものとして説明したが、本変形例では、蛍光遮断手段に蛍光部を設け、ＬＥＤ光源の点灯に合わせて該蛍光部を光路に挿入する。
【００４６】
本変形例にかかる透過照明ユニットは、透過観察用の照明光学系の一部をなし、透過照明用光源１２ｅ（光源部）と、コレクタレンズ１２ｂと、蛍光遮断手段１２ｆと、基板１２ｄと、を内蔵した筐体であって、ベース部２に着脱自在に設けられる。透過照明用光源１２ｅは、ＬＥＤ素子を用いて実現され、制御基板により駆動する駆動タイミングが制御される。
【００４７】
蛍光遮断手段１２ｆは、蛍光体が付与され、透過照明用光源１２ｅの光路に対して挿脱自在に設けられる光路挿脱部材１２７と、加熱により所定の方向に屈曲する原動節１２８と、光路挿脱部材１２７と原動節１２８と連結し、該蛍光体挿脱部１２７を回転自在に保持する回転軸１２３と、を有する。
【００４８】
光路挿脱部材１２７は、一端で原動節１２２と接続する棒状の軸部１２７ａと、蛍光体を含むドーム状をなす蛍光部１２７ｂと、軸部１２７ａの他端から該軸部１２１ａの長手方向と直交する方向に延び、蛍光部１２７ｂを保持する保持部１２７ｃと、を有し、側面視で略Ｌ字状をなす。蛍光部１２７ｂは、透過照明用光源１２ｅが発した光により蛍光体が励起されて蛍光を発する。
【００４９】
軸部１２７ａは、一端が回転軸１２３を軸として回転可能に保持されている。軸部１２７ａの中心軸（長手方向）は、回転軸１２３の中心軸と直交していることが好ましい。軸部１２７ａの回転により、保持部１２７ｃは、透過照明用光源１２ｅとコレクタレンズ１２ｂとの間（透過照明用光源１２ｅの光路）に対して、蛍光部１２７ｂを挿入する、または蛍光部１２７ｂを退避させる。
【００５０】
原動節１２８は、細長形状をなし、一端が回転軸１２３を軸として回転可能に保持されている。原動節１２８は、熱膨張率の異なる金属を貼り合せてなるバイメタル素材を用いて形成される。このため、原動節１２８は、加熱により、熱膨張率の小さい金属側に屈曲するように変形する。本変形例では、原動節１２８は、非加熱時、すなわち熱により変形していない状態では弧状をなし、加熱時、すなわち熱より変形した状態では長手方向が直線状をなす。
【００５１】
本変形例にかかる透過照明ユニットでは、基板１２ｄのスイッチ１２５ｅ（図３参照）がオフ状態の場合、ＬＥＤ駆動回路は通電しないため、コンデンサ１２４から熱は発生しない。このため、原動節１２８は弧状をなし、軸部１２７ａと原動節１２８とが屈曲した状態となっている。この状態では、蛍光部１２７ｂは、透過照明用光源１２ｅの光路から退避している（図６参照）。
【００５２】
一方、スイッチ１２５ｅがオン状態の場合、ＬＥＤ駆動回路に電流が流れるため、コンデンサ１２４から熱が発生する。このため、原動節１２８にはコンデンサ１２４の熱が伝達され、該熱により原動節１２８は変形して直線状をなし、軸部１２７ａの端部の位置を変化させる。軸部１２７ａの端部の位置が変化すると、軸部１２７ａは、回転軸１２３を軸として回転する。本変形例では、原動節１２８の変形により軸部１２７ａと原動節１２８とが一直線上に延びている。軸部１２７ａの回転により保持部１２７ｃが回転することで、蛍光部１２７ｂが、透過照明用光源１２ｅの光路に挿入するように移動する（図７参照）。
【００５３】
本変形例では、透過照明用光源１２ｅの光路に対して蛍光部１２７ｂを挿脱自在に設け、ＬＥＤ駆動回路に通電したときのみ透過照明用光源１２ｅの光路に蛍光部１２７ｂを挿入するようにしたので、透過照明用光源１２ｅには、該透過照明用光源１２ｅを点灯させない場合は、光路Ｎ１を介して外部の光が入射しない。このため、落射照明用光源１１から出射された落射照明光により蛍光部１２７ｂの蛍光体が励起されることがない。これにより、落射照明観察時において、透過照明光学系から蛍光が発せられることはなく、不要に発生した蛍光が標本に照射されることを防止することができる。
【００５４】
なお、本実施の形態１および変形例では、原動節１２２，１２８の一端をコンデンサ１２４の配設領域に配置するものとして説明したが、抵抗１２５ｄの配設領域であってもよい。
【００５５】
（実施の形態２）
図８は、本発明の実施の形態２にかかる顕微鏡システムの要部の構成を示す模式図であって、透過照明ユニットの構成を模式的に示す図である。図９は、本実施の形態２にかかる顕微鏡システムの要部の構成を示す模式図であって、透過照明ユニットの動作を説明する図である。なお、図１等で説明した構成と同一の構成要素には、同一の符号が付してある。上述した実施の形態１では、原動節１２２がコンデンサ１２４の配設領域に設けられ、コンデンサ１２４が発した熱により変形するものとして説明したが、本実施の形態２では、原動節をＬＥＤ光源部に接触させ、該ＬＥＤ素子が発した熱により原動節を変形させる。
【００５６】
本実施の形態２にかかる透過照明ユニットは、透過観察用の照明光学系の一部をなし、透過照明用光源部２０と、コレクタレンズ１２ｂと、蛍光遮断手段２１と、を内蔵した筐体であって、ベース部２に着脱自在に設けられる。また、本実施の形態２では、ＬＥＤ駆動回路が形成された基板（図示せず）が透過照明ユニットの外部に設けられ、透過照明用光源部２０と該基板とが、図示しない中継コネクタによって電気的に接続されている。
【００５７】
透過照明用光源部２０は、発光部２０ａと、コネクタ部２０ｂとを有する。発光部２０ａは、ＬＥＤ素子２０１ａ（発光素子）と、蛍光部材２０１ｂと、を有する。ＬＥＤ素子２０１ａは、例えば単色のＬＥＤ素子を用いて構成される。蛍光部材２０１ｂは、ＬＥＤ素子２０１ａを覆うドーム状をなし、蛍光体が付与されている。発光部２０ａでは、ＬＥＤ素子２０１ａが発した光により蛍光体が励起されて蛍光を発する。コネクタ部２０ｂは、中継コネクタを介して基板と接続する。なお、蛍光部材２０１ｂは、コレクタレンズ１２ｂとＬＥＤ光源との間に設けられるものであればよい。
【００５８】
蛍光遮断手段２１は、透過照明用光源部２０の光路に対して挿脱自在に設けられ、透過照明用光源部２０とコレクタレンズ１２ｂとの間を遮光可能な光路挿脱部材２１ａと、加熱により所定の方向に屈曲する原動節２１ｂと、遮光部２１ａと原動節２１ｂとを連結し、該遮光部２１ａを回転自在に保持する回転軸２１ｃと、を有する。
【００５９】
光路挿脱部材２１ａは、一端で原動節２１ｂと接続する棒状の軸部２１１と、遮光性の材料を用いて形成される平板状をなし、軸部２１１の他端から該軸部２１１の長手方向と直交する方向に延びる遮光板２１２（遮光部）と、を有し、側面視でＬ字状をなす。遮光板２１２は、光が透過しないものであればよく、例えば、透過性の材料からなる平板の表面を遮光性の樹脂や金属で覆ったものでもよい。
【００６０】
軸部２１１は、回転軸２１ｃによって、該回転軸２１ｃを軸として回転可能に保持されている。軸部２１１の中心軸（長手方向）は、回転軸２１ｃと直交していることが好ましい。軸部２１１の回転により、遮光板２１２は、透過照明用光源部２０とコレクタレンズ１２ｂとの間（透過照明用光源部２０の光路）に対して、挿入されるか、または退避する。
【００６１】
原動節２１ｂは、細長形状をなし、一端が回転軸２１ｃを軸として回転可能に保持されている。原動節２１ｂは、上述した原動節１２２と同様、熱膨張率の異なる金属を貼り合せてなるバイメタル素材を用いて形成される。このため、原動節２１ｂは、加熱により、熱膨張率の小さい金属側に屈曲するように変形する。本実施の形態２では、原動節２１ｂは、非加熱時、すなわち熱より変形していない状態では、直線状をなし、加熱時、すなわち熱により変形した状態では、弧状をなす。
【００６２】
ここで、原動節２１ｂは、光路挿脱部材２１ａと連結する側と異なる側の端部が、発光部２０ａ（ＬＥＤ素子２０１ａの背面）に接触している。このため、ＬＥＤ素子２０１ａが駆動し、該駆動により熱が発生すると、該発生した熱が原動節２１ｂに伝達する。
【００６３】
透過照明ユニットでは、ＬＥＤ素子２０１ａが駆動していない場合、ＬＥＤ素子２０１ａから熱は発生しないため、原動節２１ｂが変形せずに直線状をなし、遮光板２１２が、透過照明用光源部２０とコレクタレンズ１２ｂとの間（透過照明用光源部２０の光路）に挿入されている（図８参照）。
【００６４】
一方、ＬＥＤ素子２０１ａが駆動している場合、ＬＥＤ素子２０１ａから発生した熱が原動節２１ｂに伝達され、該熱により原動節２１ｂは変形して弧状をなし、軸部２１１の端部の位置を変化させる。軸部２１１の端部の位置が変化すると、軸部２１１は、回転軸２１ｃを軸として回転する。本実施の形態２では、原動節２１ｂの変形により軸部２１１の原動節２１ｂ側の端部が透過照明用光源部２０側に移動する。このため、遮光板２１２は、透過照明用光源部２０とコレクタレンズ１２ｂとの間（透過照明用光源部２０の光路）から退避するように移動する（図９参照）。
【００６５】
上述したように、透過照明用光源部２０の光路に対して遮光板２１２を挿脱自在に設け、ＬＥＤ素子２０１ａが駆動したときのみ透過照明用光源部２０の光路から遮光板２１２を退避させるようにしたので、透過照明用光源部２０には、該透過照明用光源部２０を点灯させない場合は、光路Ｎ１を介して外部の光が入射しない。このため、落射照明用光源１１から出射された落射照明光により蛍光部材２０１ｂの蛍光体が励起されることがない。これにより、落射照明観察時において、透過照明用光源部２０から蛍光が発せられることはなく、不要に発生した蛍光が標本に照射されることを防止することができる。
【００６６】
上述した本実施の形態２によれば、ＬＥＤ素子２０１ａの駆動により生じる熱により変形する原動節２１ｂの動作に応じて、遮光板２１２が、透過照明用光源部２０の光路から退避するか、または挿入されるようにしたので、簡易な構成で蛍光体からの不要な蛍光の発生を抑制することができる。
【００６７】
また、本実施の形態２によれば、モーター等の電動アクチュエータを追加することなく、さらにＬＥＤ素子２０１ａの点灯および消灯にかかる操作性に制限をかけることなく、ＬＥＤ素子２０１ａの点灯および消灯に応じて遮光板２１２を透過照明用光源部２０ａの光路に挿脱することができる。これにより、安価な構成でＬＥＤ素子２０１ａの蛍光体から不要な蛍光の発生を防ぐことができる。
【００６８】
本実施の形態２では、上述した実施の形態１の変形例のように、蛍光部を透過照明用光源部２０とコレクタレンズ１２ｂとの間（透過照明用光源部２０の光路）に対して、挿入させる、または退避するものであってもよい。
【００６９】
（実施の形態３）
図１０は、本発明の実施の形態３にかかる顕微鏡システムの要部の構成を示す模式図であって、透過照明ユニットの切替機構の構成を模式的に示す図である。なお、図１等で説明した構成と同一の構成要素には、同一の符号が付してある。上述した実施の形態１，２では、原動節の変形にしたがって遮光板が光路上に挿入する、または光路から離脱するものとして説明したが、本実施の形態３では、蛍光遮断手段に遮光板を切り替える切替機構を設けて、原動節の動作に応じて遮光板が取り得る位置を切り替える。
【００７０】
本実施の形態３にかかる蛍光遮断手段は、照明光の光路に対して挿脱自在に設けられ、該光路を遮光可能な光路挿脱部材３００と、加熱により所定の方向に屈曲する原動節３０１と、光路挿脱部材３００を回転自在に保持する回転軸３０２と、原動節３０１を保持する保持部３０３と、光路挿脱部材３００による遮光状態を切り替える切替機構３１０と、を有する。保持部３０３は、例えば熱伝導性を有する材料により形成され、コンデンサと連結してコンデンサの熱を原動節３０１に伝達する。
【００７１】
光路挿脱部材３００は、略平板状をなして延びる軸部３００ａと、遮光性の材料を用いて形成される平板状をなし、軸部３００ａの一端に設けられる遮光板３００ｂ（遮光部）と、を有する。遮光板３００ｂは、光が透過しないものであればよく、例えば、透過性の材料からなる平板の表面を遮光性の樹脂や金属で覆ったものでもよい。
【００７２】
軸部３００ａは、回転軸３０２を軸として回転可能に保持されている。軸部３００ａの中心軸（長手方向）は、回転軸３０２の中心軸と直交していることが好ましい。軸部３００ａの回転により、遮光板３００ｂは、照明光の光路に対して、挿入または退避する。
【００７３】
原動節３０１は、細長形状をなし、一端が保持部３０３に保持されている。原動節３０１は、熱膨張率の異なる金属を貼り合せてなるバイメタル素材を用いて形成される。このため、原動節３０１は、加熱により、熱膨張率の小さい金属側に屈曲するように変形する。本実施の形態３では、原動節３０１は、非加熱時と加熱時では、互いに逆の態様の弧状に屈曲した形状をなす。
【００７４】
切替機構３１０は、第１歯車３１１と、第２歯車３１２と、回転ベルト３１３と、を有する。第１歯車３１１および第２歯車３１２は、間欠歯車を用いて実現される。回転ベルト３１３は、環状をなし、内周で回転軸３０２および第２歯車３１２と歯合する。
【００７５】
第１歯車３１１は、原動節３０１の他端と連結可能な第１歯部３１１ａおよび第２歯部３１１ｂと、第２歯車３１２の歯部と係止可能な二つの第３歯部３１１ｃと、を有する。第２歯車３１２は、二つの第２歯部３１１ｂのうちの一方と係止可能な第４歯部３１２ａと、回転ベルト３１３と歯合する複数（本実施の形態３では六つ）の第５歯部３１２ｂと、を有する。なお、原動節３０１と回転ベルト３１３とは、第１歯車３１１ａの中心軸方向に沿って配置されている。
【００７６】
図１０の実線で示す位置関係を非加熱時の位置関係としたとき、コンデンサなどから熱が伝達され、原動節３０１が加熱されると、原動節３０１は、逆向きに変形する（図１０の破線）。この際、原動節３０１が変形により第２歯部３１１ｂと引っかかって第２歯部３１１ｂを移動させ、該第２歯部３１１ｂの移動により第１歯車３１１が回転する（本実施の形態３では時計回り）。第１歯車３１１の回転により、一方の第３歯部３１１ｃが第４歯部３１２ａに引っかかり、第２歯車３１２が回転する。第２歯車３１２が回転すると、該回転動力により回転ベルト３１３が周回する。回転ベルト３１３の周回に応じて、回転軸３０２が回転すると、軸部３００ａが回転し、該回転に連動して遮光板３００ｂが回転する。また、原動節３０１への加熱が停止すると、原動節３０１がもとの状態に戻る。原動節３０１の形状復帰により、第１歯部３１１ａが原動節３０１に引っかかって加熱時とは逆の回転方向に回転する。これらの動作により、加熱時と非加熱時とにおいて、遮光板３００ｂが、二つの位置を往復動することとなる。
【００７７】
上述した切替動作では、上述した実施の形態１，２とは異なり、原動節３０１がある程度変形した後、回転ベルト３１３を回転させて遮光板３００ｂを移動させる。このように、切替機構３１０によれば、原動節３０１の変形に対する遮光板３００ｂの移動のタイミングを異ならせて、遮光板３００ｂを瞬間的に移動させることができる。移動のタイミングは、第１歯部３１１ａまたは第２歯部３１１ｂの間隔や配置を調整することにより、タイミングを調整することができる。
【００７８】
上述した本実施の形態３によれば、原動節３０１の動作に応じて切替機構３１０が、遮光板３００ｂを二つの位置間で往復動させるようにしたので、簡易な構成で蛍光体からの不要な蛍光の発生を抑制するとともに、原動節３０１の移動に応じて瞬時に遮光板３００ｂの位置を切り替えることができる。
【００７９】
（実施の形態３の変形例）
図１１は、本発明の実施の形態３の変形例にかかる顕微鏡システムの要部の構成を示す模式図であって、透過照明ユニットの切替機構の構成を模式的に示す図である。上述した実施の形態３では、原動節３０１が、第１歯部３１１ａまたは第２歯部３１１ｂの一方と引っかかって第１歯車を回転させるものとして説明したが、本変形例では、コイルばねにより付勢して初期状態を維持する。
【００８０】
本変形例にかかる蛍光遮断手段は、照明光の光路に対して挿脱自在に設けられ、該光路を遮光可能な光路挿脱部材３００と、加熱により所定の方向に屈曲する原動節３０１と、光路挿脱部材３００を回転自在に保持する回転軸３０２と、原動節３０１を保持する保持部３０３と、光路挿脱部材３００による遮光状態を切り替える切替機構３２０と、を有する。
【００８１】
切替機構３２０は、歯車３２１と、回転ベルト３２２と、コイルばね３２３と、を有する。歯車３２１は、間欠歯車を用いて実現される。回転ベルト３２２は、環状をなし、内周で回転軸３０２および歯車３２１と歯合する。
【００８２】
歯車３２１は、原動節３０１の他端と連結可能な第１歯部３２１ａと、回転ベルト３２２と歯合する複数（本変形例では五つ）の第２歯部３２１ｂと、を有する。コイルばね３２３は、一端が複数の第２歯部３２１ｂのうちのいずれか一つに連結するとともに、他端が保持部材３０４に保持されている。保持部材３０４は、顕微鏡（本体）に固定されている。なお、原動節３０１およびコイルばね３２３と、回転ベルト３２２とは、歯車３２１の中心軸方向に沿って配置されている。
【００８３】
図１１の実線で示す位置関係を非加熱時の位置関係とすると、原動節３０１の端部が第１歯部３１１ａと係止し、かつコイルばね３２３により歯車３２１が反時計回りに回転するような荷重が加えられている。コンデンサなどから熱が伝達され、原動節３０１が加熱されると、原動節３０１は、逆向きに変形する（図１１の破線）。この際、原動節３０１の変形により第１歯部３２１ａと原動節３０１との係止状態が解除され、コイルばね３２３の荷重により歯車３２１が所定量反時計回りに回転する。歯車３２１が回転すると、該回転動力により回転ベルト３２２が周回する。回転ベルト３２２の周回に応じて、回転軸３０２が回転すると、軸部３００ａが回転し、該回転に連動して遮光板３００ｂが回転する。
【００８４】
一方、原動節３０１への加熱が停止すると、原動節３０１がもとの状態に戻る。原動節３０１の形状復帰により、第１歯部３２１ａが原動節３０１に引っかかって歯車３２１が時計回りに回転し、該回転により回転ベルト３２２が回転することで、軸部３００ａ（遮光板３００ｂ）が回転する。これらの動作により、加熱時と非加熱時とにおいて、遮光板３００ｂが、二つの位置を往復動することとなる。
【００８５】
（実施の形態４）
図１２は、本発明の実施の形態４にかかる顕微鏡システムの要部の構成を示す模式図であって、透過照明ユニットの切替機構の構成を模式的に示す図である。なお、図１等で説明した構成と同一の構成要素には、同一の符号が付してある。上述した実施の形態３では、歯車や回転ベルトを用いて遮光板の位置を切り替えるものとして説明したが、本実施の形態４では、二つの磁石を有する切替機構を設けて、原動節の動作に応じて遮光板が取り得る位置を切り替える。
【００８６】
本実施の形態４にかかる蛍光遮断手段は、照明光の光路に対して挿脱自在に設けられ、該光路を遮光可能な光路挿脱部材３００と、加熱により所定の方向に屈曲する原動節３０１ａと、光路挿脱部材３００を回転自在に保持する回転軸３０２と、原動節３０１ａを保持する保持部３０３と、光路挿脱部材３００による遮光状態を切り替える切替機構３３０と、を有する。
【００８７】
原動節３０１ａは、一端が保持部３０３に保持されている。原動節３０１ａは、熱膨張率の異なる金属を貼り合せてなるバイメタル素材を用いて形成される。このため、原動節３０１ａは、加熱により、熱膨張率の小さい金属側に屈曲するように変形する。本実施の形態４では、原動節３０１ａは、非加熱時、すなわち熱により変形していない状態では直線状をなし、加熱時、すなわち熱より変形した状態では弧状に屈曲した形状をなす。
【００８８】
切替機構３３０は、第１磁石３３１と、第２磁石３３２と、を有する。第１磁石３３１および第２磁石３３２は、例えば永久磁石を用いて実現され、第１磁石３３１と第２磁石３３２とは、互いに引き付け合うような磁極の向きとなるように配置される。
【００８９】
具体的には、第１磁石３３１は、一方の磁極側で軸部３００ａおよび原動節３０１ａと連結する。また、第２磁石３３２は、照明光の光路に対して遮光板３００ｂが取り得る二つの配置（挿入位置および離脱位置）のうち、遮光板３００ｂが一方の配置（例えば離脱位置）に位置した際に第１磁石３３１と引き付け合う位置に設けられる。図１２に示す位置関係を非加熱時の位置関係とすると、非加熱時は、第１磁石３３１が第２磁石３３２の磁界の作用領域から離れた位置にある。
【００９０】
図１３は、本発明の実施の形態４にかかる顕微鏡システムの要部の構成を示す模式図であって、透過照明ユニットの切替機構の構成を模式的に示す図である。コンデンサなどから熱が伝達され、原動節３０１ａが加熱されると、原動節３０１ａは、弧状に変形する。この際、原動節３０１ａの変形により第１磁石３３１が移動し、該移動に伴って軸部３００ａが回転する。この動作により、第１磁石３３１は、第２磁石３３２に引き付けられて位置決めされる。この際、第１磁石３３１は、第２磁石３３２の磁界の作用領域から離れた位置から、第２磁石３３２の磁界の作用領域へ瞬時に移動する。この第１磁石３３１の動作に連動して遮光板３００ｂが瞬時に移動（回転）する。また、原動節３０１ａへの加熱が停止すると、原動節３０１ａがもとの状態（本実施の形態４では直線状）に戻る。原動節３０１ａの形状復帰により、第１磁石３３１が第２磁石３３２の磁界の作用領域から離れた位置に戻ることで、軸部３００ａ（遮光板３００ｂ）が回転する。これらの動作により、加熱時と非加熱時とにおいて、遮光板３００ｂが、二つの位置を往復動することとなる。
【００９１】
上述した本実施の形態４によれば、原動節３０１ａの動作に応じて切替機構３３０の第１磁石３３１〜第３磁石３３３によって、遮光板３００ｂを二つの位置間で往復動させるようにしたので、簡易な構成で蛍光体からの不要な蛍光の発生を抑制するとともに、原動節３０１ａの移動に応じて瞬時に遮光板３００ｂの位置を切り替えることができる。
【００９２】
上述した本実施の形態４では、遮光板３００ｂの一方の位置のみを第２磁石で規制するものとして説明したが、第１磁石３３１が第２磁石３３２の磁界の作用領域から離れた位置に第３磁石を配置して、他方の位置においても該第３磁石で規制するものであってもよい。
【００９３】
（実施の形態４の変形例１）
図１４は、本発明の実施の形態４の変形例１にかかる顕微鏡システムの要部の構成を示す模式図であって、透過照明ユニットの切替機構の構成を模式的に示す図である。図１５は、本実施の形態４の変形例１にかかる顕微鏡システムの要部の構成を示す模式図であって、透過照明ユニットの切替機構の構成を模式的に示す図である。上述した実施の形態４では、第１磁石３３１〜第３磁石３３３を用いて遮光板３００ｂを二つの位置間で往復動させるものとして説明したが、本変形例１では、板ばねとばね受けとを用いたクリック機構により遮光板３００ｂを二つの位置間で往復動させる。
【００９４】
本変形例１にかかる蛍光遮断手段は、上述した光路挿脱部材３００、原動節３０１ａ、回転軸３０２および保持部３０３と、光路挿脱部材３００による遮光状態を切り替える切替機構３４０と、を有する。
【００９５】
切替機構３４０は、板ばね３４１ａを保持する板ばねホルダ３４１と、板ばね３４１ａと係止する二つのばね受け（第１ばね受け３４２および第２ばね受け３４３）と、を有する。板ばね３４１ａは、帯状をなす。板ばねホルダ３４１は、板ばね３４１ａの両端を保持する。これにより、板ばね３４１ａは、略Ｕ字状に屈曲して弾性変形自在となっている。また、第１ばね受け３４２および第２ばね受け３４３には、屈曲した板ばね３４１ａの頭頂部（中央部）と係止する凹部３４２ａ，３４３ａがそれぞれ形成されている。第１ばね受け３４２および第２ばね受け３４３は、遮光板３００ｂが取り得る二つの位置（挿入位置および離脱位置）に応じて配置される。
【００９６】
具体的には、板ばねホルダ３４１は、一方で軸部３００ａおよび原動節３０１ａと連結するとともに、他方で板ばね３４１ａを保持する。また、第１ばね受け３４２は、照明光の光路に対して遮光板３００ｂが光路に挿入する位置（挿入位置）に位置した際に、凹部３４２ａが板ばね３４１ａと係止する位置に設けられる。これに対し、第２ばね受け３４３は、遮光板３００ｂが光路から離脱する位置（離脱位置）に位置した際に、凹部３４３ａが板ばね３４１ａと係止する位置に設けられる。
【００９７】
原動節３０１ａの変形により板ばねホルダ３４１が移動し、該移動に伴って軸部３００ａが回転する。この動作により、板ばね３４１ａは、凹部３４３ａと係止して位置決めされる（図１５参照）。また、原動節３０１ａへの加熱が停止すると、原動節３０１ａがもとの状態（本変形例１では直線状）に戻る。原動節３０１ａの形状復帰により、板ばねホルダ３４１が第１ばね受け３４２側に戻ることで、軸部３００ａ（遮光板３００ｂ）が回転し、遮光板３００ｂが挿入位置に配置される（図１４参照）。これらの動作により、加熱時と非加熱時とにおいて、遮光板３００ｂが、二つの位置を往復動することとなる。
【００９８】
（実施の形態４の変形例２）
図１６は、本発明の実施の形態４の変形例２にかかる顕微鏡システムの要部の構成を示す模式図であって、透過照明ユニットの切替機構の構成を模式的に示す図である。図１７は、本実施の形態４の変形例２にかかる顕微鏡システムの要部の構成を示す模式図であって、透過照明ユニットの切替機構の構成を模式的に示す図である。上述した実施の形態４では、第１磁石３３１〜第３磁石３３３を用いて遮光板３００ｂを二つの位置間で往復動させるものとして説明したが、本変形例２では、ボールとばね受けとを用いたクリック機構により遮光板３００ｂを二つの位置間で往復動させる。
【００９９】
本変形例２にかかる蛍光遮断手段は、上述した光路挿脱部材３００、原動節３０１ａ、回転軸３０２および保持部３０３と、光路挿脱部材３００による遮光状態を切り替える切替機構３５０と、を有する。
【０１００】
切替機構３５０は、ボール３５１ａを進退自在に保持するボールホルダ３５１と、ボール３５１ａと係止する二つのボール受け（第１ボール受け３５２および第２ボール受け３５３）と、を有する。第１ボール受け３５２および第２ボール受け３５３には、ボール３５１ａと係止する凹部３５２ａ，３５３ａがそれぞれ形成されている。第１ボール受け３５２および第２ボール受け３５３は、遮光板３００ｂが取り得る二つの位置（挿入位置および離脱位置）に応じて配置される。
【０１０１】
具体的には、ボールホルダ３５１は、一方で軸部３００ａおよび原動節３０１ａと連結するとともに、他方でボール３５１ａの一部が突出するように該ボール３５１ａを保持する。また、第１ボール受け３５２は、照明光の光路に対して遮光板３００ｂが光路に挿入する位置（挿入位置）に位置した際に、凹部３４２ａがボール３５１ａと係止する位置に設けられる。これに対し、第２ボール受け３５３は、遮光板３００ｂが光路から離脱する位置（離脱位置）に位置した際に、凹部３５３ａがボール３５１ａと係止する位置に設けられる。
【０１０２】
原動節３０１ａの変形によりボールホルダ３５１が移動し、該移動に伴って軸部３００ａが回転する。この動作により、ボール３５１ａは、凹部３５３ａと係止して位置決めされる（図１７参照）。また、原動節３０１ａへの加熱が停止すると、原動節３０１ａがもとの状態（本変形例２では直線状）に戻る。原動節３０１ａの形状復帰により、ボールホルダ３５１が第１ボール受け３５２側に戻ることで、軸部３００ａ（遮光板３００ｂ）が回転し、遮光板３００ｂが挿入位置に配置される（図１６参照）。これらの動作により、加熱時と非加熱時とにおいて、遮光板３００ｂが、二つの位置を往復動することとなる。
【０１０３】
なお、上述した実施の形態１〜４および変形例では、透過照明用のユニットとして照明ユニットを用いるものとして説明したが、落射照明用の光源として上述した照明ユニットを用いるものであってもよい。また、上述した実施の形態では、倒立型の顕微鏡システムを例に説明したが、正立型の顕微鏡システムであっても本発明を適用することができる。
【０１０４】
また、上述した実施の形態１〜４および変形例では、原動節１２２，２１ｂをバイメタル素材により形成するものとして説明したが、バイメタル素材のほか、熱に応じて変形可能な形状記憶合金などの合金を用いて形成するものであってもよい。
【０１０５】
上述した実施の形態１〜４および変形例は、本発明を実施するための例にすぎず、本発明はこれらに限定されるものではない。また、本発明は、各実施の形態や変形例に開示されている複数の構成要素を適宜組み合わせることによって、種々の発明を形成できる。本発明は、仕様等に応じて種々変形することが可能であり、更に本発明の範囲内において、他の様々な実施の形態が可能であることは、上記記載から自明である。
【符号の説明】
【０１０６】
１  顕微鏡システム
２  ベース部
３  柱部
４  アーム部
５  ステージ
６  観察部
７  レボルバ
８  接眼レンズ
９  撮像部
１０  対物レンズ
１１  落射照明ユニット
１２  透過照明ユニット
１２ａ，２０  透過照明用光源部
１２ｂ  コレクタレンズ
１２ｃ，１２ｆ，２１  蛍光遮断手段
１２ｄ  基板
２１ａ，１２１，１２７，３００  光路挿脱部材
２１ｂ，１２２，１２８，３０１，３０１ａ  原動節
２１ｃ，１２３，３０２  回転軸
１２０ａ，２０１ａ  ＬＥＤ素子（発光素子）
１２０ｂ，１２７ｂ，２０１ｂ  蛍光部材
１２１ａ，１２７ａ，２１１，３００ａ  軸部
１２１ｂ，２１２，３００ｂ  遮光板
１２４  コンデンサ
１２７ｂ  蛍光部
３１０，３２０，３３０  切替機構
３１１  第１歯車
３１２  第２歯車
３１３，３２２  回転ベルト
３２１  歯車
３２３  コイルばね
３３１  第１磁石
３３２  第２磁石
【図１】
2016085374.tif 000003
【図２】
2016085374.tif 000004
【図３】
2016085374.tif 000005
【図４】
2016085374.tif 000006
【図５】
2016085374.tif 000007
【図６】
2016085374.tif 000008
【図７】
2016085374.tif 000009
【図８】
2016085374.tif 000010
【図９】
2016085374.tif 000011
【図１０】
2016085374.tif 000012
【図１１】
2016085374.tif 000013
【図１２】
2016085374.tif 000014
【図１３】
2016085374.tif 000015
【図１４】
2016085374.tif 000016
【図１５】
2016085374.tif 000017
【図１６】
2016085374.tif 000018
【図１７】
2016085374.tif 000019